(57)【特許請求の範囲】
【請求項１】
一端部に支持部が設けられた弾性部材と、
記録ディスクが内部に収納され、主面に設けられた開口部を開閉するシャッタ部材を有するディスクカートリッジに対向するように、上記弾性部材の中途部に突設され、当該突設された外縁部に屈曲部が形成されたシャッタ開放爪と、
上記ディスクカートリッジに対向するように、上記弾性部材の他端部に突設され、当該突設された外縁部に屈曲部が形成されたシャッタ閉蓋爪と、
を備えるシャッタ開閉機構。
【請求項２】
上記ディスクカートリッジが挿入されるカートリッジホルダをさらに備え、
上記弾性部材は、上記支持部により上記カートリッジホルダに対して支持され、
上記シャッタ開放爪は、上記弾性部材に対して、上記カートリッジホルダに設けられた透孔を介して上記カートリッジホルダの内方側に進入される方向に突設され、
上記シャッタ閉蓋爪は、上記弾性部材に対して、上記カートリッジホルダに設けられた透孔を介して上記カートリッジホルダの内方側に進入される方向に突設されることを特徴とする請求項１記載のシャッタ開閉機構。
【請求項３】
上記ディスクカートリッジが上記カートリッジホルダに挿入される際、上記シャッタ閉蓋爪は、上記シャッタ部材に摺接して上記弾性部材を弾性変位させ、上記シャッタ部材に設けられた閉蓋操作孔に対向するときに上記弾性部材の復元力により上記閉蓋操作孔に嵌入係合し、上記シャッタ開放爪は、上記シャッタ閉蓋爪が上記閉蓋操作孔に嵌入係合したとき、上記シャッタ部材の前端部に当接して当該シャッタ部材の移動を阻止し、上記ディスクカートリッジの当該カートリッジホルダへの挿入に伴い上記シャッタ部材を上記カートリッジに対してスライド移動させて上記開口部を開放させ、
上記ディスクカートリッジが上記カートリッジホルダより抜き取り操作される際、上記シャッタ閉蓋爪は、上記閉蓋操作孔に対する係合によって上記シャッタ部材の移動を阻止し、当該ディスクカートリッジの当該カートリッジホルダよりの抜け出し動作に伴って当該シャッタ部材を上記カートリッジに対してスライドさせて上記開口部を閉蓋することを特徴とする請求項２記載のシャッタ開閉機構。
【請求項４】
記録ディスクが内部に収納され、主面に設けられた開口部を開閉するシャッタ部材を有するディスクカートリッジが挿入されるカートリッジホルダと、
上記カートリッジホルダに一端部が支持される弾性部材と、
上記弾性部材の中途部において、上記カートリッジホルダに設けられた透孔を介して上記カートリッジホルダの内方側に進入される方向に突設されると共に、当該突設された外縁部に屈曲部が形成されたシャッタ開放爪と、
上記弾性部材の他端部において、上記カートリッジホルダに設けられた透孔を介して上記カートリッジホルダの内方側に進入される方向に突設されると共に、当該突設された外縁部に屈曲部が形成されたシャッタ閉蓋爪と、
上記カートリッジホルダに挿入されたカートリッジに収納される記録ディスクに情報信号の記録及び／又は再生を実行する記録及び／又は再生部と
を備える記録及び／又は再生装置。
【発明の詳細な説明】
【０００１】
【産業上の利用分野】
本発明はディスクカートリッジのシャッタ部材を開閉操作するシャッタ開閉機構及びこれを備える記録及び／又は再生装置に関する。
【０００２】
【従来の技術】
従来、光ディスクや光磁気ディスクの如き記録ディスクがカートリッジに回転可能に収納されて構成されたディスクカートリッジが提案されている。このディスクカートリッジにおいては、上記カートリッジに開口部が形成されている。この開口部は、上記記録ディスクに対して光学ピックアップ装置や磁気ヘッド装置が臨むことを可能として、これら光学ピックアップ装置や磁気ヘッド装置による該記録ディスクに対する情報信号の書き込み及び読み出しを可能とするものである。
【０００３】
上記ディスクカートリッジにおいて、上記開口部は、上記カートリッジにスライド可能に取り付けられたシャッタ部材により、開閉可能となされている。すなわち、上記シャッタ部材は、上記ディスクカートリッジの非使用時においては、上記開口部を閉蓋することにより、上記カートリッジ内への塵挨や手指の進入を防止する。
【０００４】
そして、上記記録再生装置には、上記ディスクカートリッジのこの記録再生装置への挿入及び取り出しに応じて上記シャッタ部材を開閉操作するためのシャッタ開閉機構が設けられている。
【０００５】
このシャッタ開閉機構は、上記カートリッジに対して上記シャッタ部材をスライドさせて上記開口部を開放させるシャッタ開放爪と、該カートリッジに対して該シャッタ部材をスライドさせて上記開口部を閉蓋させるシャッタ閉蓋爪とを有して構成されている。
【０００６】
上記シャッタ開放爪は、上記ディスクカートリッジが挿入操作されるカートリッジホルダの内方側に向けて突設されている。上記カートリッジホルダは、前方側及び下面側が開放された薄い筐体状に形成され、前方側より挿入操作されるディスクカートリッジを収納保持するように構成されている。このカートリッジホルダは、上記記録再生装置内で移動操作されることにより、収納保持しているディスクカートリッジを記録再生部に装着させるものである。
【０００７】
上記シャッタ開放爪は、上記カートリッジホルダの側板部の一部が切り起こし形成されることにより、このカートリッジホルダの内方側に向けて突設されている。
【０００８】
そして、上記シャッタ閉蓋爪は、上記カートリッジホルダの側板部に、板バネの如き弾性部材を介して取り付けられ、該カートリッジホルダの内方側に向けて進入されている。
【０００９】
このシャッタ開閉機構においては、上記カートリッジホルダに上記ディスクカートリッジが挿入操作されると、上記シャッタ開放爪が上記シャッタ部材の前端部に当接し、このシャッタ部材の該カートリッジホルダ内における移動を阻止する。したがって、上記ディスクカートリッジが上記カートリッジホルダ内でさらに後方側に移動されると、上記シャッタ部材は、上記開口部を開放させる。
【００１０】
また、このとき、上記シャッタ閉蓋爪は、上記シャッタ部材に設けられた閉蓋操作孔に嵌入係合する。そして、このシャッタ閉蓋爪は、上記ディスクカートリッジが上記カートリッジホルダより抜き取られるとき、上記シャッタの移動を阻止して、上記開口部を閉蓋させる。上記開口部が閉蓋された後、さらに、上記ディスクカートリッジが上記カートリッジホルダより抜き取られるときには、上記シャッタ閉蓋爪は、上記閉蓋操作孔より抜け出る。
【００１１】
【発明が解決しようとする課題】
ところで、上述のようなシャッタ開閉機構においては、上記シャッタ開放爪が上記カートリッジホルダの一部により形成されているため、該カートリッジホルダを形成する板材料の板厚と、該シャッタ開放爪の厚さとは、同一の厚さとなっている。
【００１２】
上記シャッタ開放爪の厚さは、上記ディスクカートリッジの形状に対応させるために、むやみに厚くすることはできず、上限がある。そのため、このシャッタ開放爪の厚さの上限が、上記カートリッジホルダを形成する板材料の板厚の上限となる。
【００１３】
したがって、このシャッタ開閉機構においては、上記カートリッジホルダの強度を向上させるためにこのカートリッジホルダを形成する板材料の板厚を厚くすることが困難となっている。
【００１４】
また、上記シャッタ開放爪は、上記カートリッジホルダの一部が切り起こされたものであるため、周縁部にバリが発生している虞れがある。そのため、このシャッタ開放爪は、上記シャッタ部材や、このシャッタ部材を閉蓋状態に係止しておくために上記カートリッジ内に配設されたシャッタロック部材に対し、傷損や過大な摩耗を生じさせてしまう虞れがある。
【００１５】
そこで、本発明は、上述の実情に鑑みて提案されるものであって、カートリッジホルダを形成する板材料の板厚に無関係にシャッタ開放爪の板厚を設定することができ、また、該シャッタ開放爪がシャッタ部材に傷損や過大な摩耗を生じさせることが防止されたシャッタ開閉機構及び、このシャッタ開閉機構を備えた記録及び再生装置を提供することを目的とする。
【００１６】
【課題を解決するための手段】
上述の課題を解決し該目的を達成するため、本発明に係るシャッタ開閉機構は、一端部に支持部が設けられた弾性部材と、記録ディスクが内部に収納され、主面に設けられた開口部を開閉するシャッタ部材を有するディスクカートリッジに対向するように、上記弾性部材の中途部に突設され、当該突設された外縁部に屈曲部が形成されたシャッタ開放爪と、上記ディスクカートリッジに対向するように、上記弾性部材の他端部に突設され、当該突設された外縁部に屈曲部が形成されたシャッタ閉蓋爪と、を備えるものである。
【００１７】
また、本発明に係るシャッタ開閉機構を備える記録及び／又は再生装置は、記録ディスクが内部に収納され、主面に設けられた開口部を開閉するシャッタ部材を有するディスクカートリッジが挿入されるカートリッジホルダと、上記カートリッジホルダに一端部が支持される弾性部材と、上記弾性部材の中途部において、上記カートリッジホルダに設けられた透孔を介して上記カートリッジホルダの内方側に進入される方向に突設されると共に、当該突設された外縁部に屈曲部が形成されたシャッタ開放爪と、上記弾性部材の他端部において、上記カートリッジホルダに設けられた透孔を介して上記カートリッジホルダの内方側に進入される方向に突設されると共に、当該突設された外縁部に屈曲部が形成されたシャッタ閉蓋爪と、上記カートリッジホルダに挿入されたカートリッジに収納される記録ディスクに情報信号の記録及び／又は再生を実行する記録及び／又は再生部と
を備えるものである。
【００１８】
【作用】
本発明に係るシャッタ開閉機構においては、シャッタ閉蓋爪及びシャッタ開放爪は、弾性部材より突設され、カートリッジホルダとは独立した部材により形成されているので、該カートリッジホルダを形成する板材料の板厚とは無関係に、板厚を設定することができ、また、その外縁部に屈曲部を形成するので、周縁部の形状を容易に滑らかなものとすることができる。
【００１９】
【実施例】
以下、本発明の具体的な実施例を図面を参照しながら説明する。
【００２０】
本発明に係るシャッタ開閉機構によってシャッタ部材の開閉操作をなされるディスクカートリッジは、図７及至図１０に示すように、光磁気ディスク、または、光ディスクである記録ディスクを、カートリッジ１０５，１１６に回転可能に収納して構成されたものである。
【００２１】
上記光磁気ディスクは、直径が例えば６４ｍｍ程度、あるいは、これより大径の、ポリカーボネイト、アクリルの如き透明合成樹脂材料、または、硝子材料よりなる円盤状のディスク基板に、磁性材料からなる信号記録層が被着形成されて構成されている。この信号記録層は、集光されたレーザビームの照射等の手段により局所的にいわゆるキュリー温度以上に加熱され、この加熱された部分に外部磁界が印加されることにより、情報信号の書き込みをなされる。このように書き込まれた情報信号は、上記信号記録層にレーザビームの如き直線偏光光束を照射し、この光束の反射光束についての該記信号記録層におけるいわゆるカー効果による偏光方向の回転角度を検出することにより、読み出すことができる。
【００２２】
また、上記光ディスクは、上記光磁気ディスクのディスク基板と同様のディスク基板に、アルミニウムの如き金属材料よりなる反射層が被着形成されて構成されている。この光ディスクのディスク基板には、射出成形等の手段により、情報信号に対応した微細なピット列が形成されている。この光ディスクに書き込まれている情報信号は、上記ピット列にレーザビームの如きコヒーレント光光束を照射し、この光束の反射光束についての該記信号記録層における拡散や干渉による光量の変化量を検出することにより、読み出すことができる。
【００２３】
上記光磁気ディスク、または、上記光ディスクである記録ディスクの中央部分には、円形のチャッキング用透孔１０４が開設されている。そして、上記記録ディスクには、上記チャッキング用透孔１０４を上方側より閉蓋するようにして、このチャッキング用透孔１０４に略々対応した直径の円盤状のチャッキングプレート１０２が取り付けられている。このチャッキングプレート１０２は、鉄、ステンレスの如き磁性を有する金属材料により形成されている。
【００２４】
上記記録ディスクは、ディスクプレーヤ装置の如きこの記録ディスクに対して情報信号の記録、または、再生を行う記録再生装置において、回転操作されるディスクテーブルの上面部に形成された円錐台状の突起部により、上記チャッキング用透孔１０４を基準として、ディスク基板の主面部に沿う方向の位置決め、すなわち、センタリングをなされる。また、上記記録ディスクは、上記ディスクテーブルに内蔵されたマグネットにより、上記チャッキングプレート１０２を吸引され、該ディスクテーブル上に保持される。このとき、上記ディスクテーブルの上記突起部の周囲部分は、上記記録ディスクの上記チャッキング用透孔１０４の周囲部分を当接支持し、上記ディスク基板の主面部に垂直な方向、すなわち、高さ位置の位置決めを行う。
【００２５】
そして、上記光磁気ディスクは、図７及び図８に示すように、カートリッジ１０５に回転可能に収納されて、情報信号の記録再生兼用のディスクカートリッジ１２０を構成する。また、上記光ディスクは、図９及び図１０に示すように、カートリッジ１１６に回転可能に収納されて、情報信号の再生専用のディスクカートリッジ１２１を構成する。
【００２６】
上記光磁気ディスクを収納して記録再生兼用のディスクカートリッジ１２０を構成する上記カートリッジ１０５は、上ハーフ及び下ハーフが突き合わせ結合されることにより、一辺の長さが該光磁気ディスクの直径に略々対応した矩形状の主面部を有する薄い筐体状に構成されている。このカートリッジ１０５は、図７に示すように、上面側の主面部に、上記光磁気ディスクの信号記録面の一部を外方に臨ませるための磁気ヘッド用開口部１２３を有している。この磁気ヘッド用開口部１２３は、上記上ハーフの主面部の略々中央部分より、この主面部の一側縁部近傍に亘って、長方形状に形成されている。また、このカートリッジ１０５は、下面側の主面部の上記磁気ヘッド用開口部１２３に対向する位置に光学ピックアップ用開口部１２２を有し、この下面側の主面部の略々中央部分にチャッキング用開口部１１３を有している。このチャッキング用開口部１１３は、図８に示すように、上記チャッキング用透孔１０４及び上記チャッキングプレート１０２を外方に臨ませている。この記録再生兼用のディスクカートリッジ１２０は、上記記録再生装置に対して、図７及び図８中矢印Ｂで示すように、前方方向に挿入されて装着される。
【００２７】
上記記録再生兼用のディスクカートリッジ１２０のカートリッジ１０５において、上記磁気ヘッド用開口部１２３及び上記光学ピックアップ用開口部１２２は、シャッタ部材１０６に依って開閉可能となされている。このシャッタ部材１０６は、これら開口部１２３，１２２に対応した互いに平行に相対向された上側及び下側蓋板部と、これら各蓋板部の一端側同士間を連結する被支持板部とを有して、薄い金属板材料により、一体的に構成されている。このシャッタ部材１０６は、上記被支持板部を、上記カートリッジ１０５の一側部に前後方向に亘って形成されたガイド溝部１０７に沿って摺動可能に支持されている。
【００２８】
上記シャッタ部材１０６は、上記カートリッジ１０５の一側縁部に沿って後方にスライドされることにより上記各開口部１２３，１２２を開蓋し、後方側より前方にスライドされて初期位置に復帰されると上記各蓋板部により該各開口部１２３，１２２を閉蓋する。なお、上記カートリッジ１０５の上下主面部において、上記各蓋板部が移動する領域には、該各蓋板部の厚さに対応した深さの凹部が形成されている。したがって、上記各蓋板部は、上記凹部内に位置することによって、上記カートリッジ１０５の主面部に対して面一な状態となされている。また、上記カートリッジ１０５の上側の主面部には、上記凹部が形成された領域の外に、ラベル貼付領域１１５が形成されている。このラベル貼付領域１１５は、貼付されるラベルの厚さに対応した深さを有し該ラベルの形状に対応した形状の凹部として形成されている。
【００２９】
そして、上記光ディスクを収納して再生専用のディスクカートリッジ１２１を構成する上記カートリッジ１１６は、上ハーフ及び下ハーフが突き合わせ結合されることにより、一辺の長さが該光磁気ディスクの直径に略々対応した矩形状の主面部を有する薄い筐体状に構成されている。このカートリッジ１１６は、下面側の主面部に、上記光ディスクの信号記録面の一部を外方に臨ませるための光学ピックアップ用開口部１２２を有している。この光学ピックアップ用開口部１２２は、上記下ハーフの主面部の略々中央部分より、この主面部の一側縁部近傍に亘って、長方形状に形成されている。また、このカートリッジ１０５は、下面側の主面部の略々中央部分にチャッキング用開口部１１３を有している。このチャッキング用開口部１１３は、図１０に示すように、上記チャッキング用透孔１０４及び上記チャッキングプレート１０２を外方に臨ませている。この再生専用のディスクカートリッジ１２１は、上記記録再生装置に対して、図９及び図１０中矢印Ｂで示すように、前方方向に挿入されて装着される。
【００３０】
上記再生専用のディスクカートリッジ１２１のカートリッジ１１６において、上記光学ピックアップ用開口部１２２は、シャッタ部材１１７に依って開閉可能となされている。このシャッタ部材１１７は、上記開口部１２２に対応した下側蓋板と、この下側蓋板部の一端側に連設された被支持板部とを有して、薄い金属板材料により、一体的に構成されている。このシャッタ部材１１７は、上記被支持板部を、上記カートリッジ１１６の一側部に前後方向に亘って形成されたガイド溝部１０７に沿って摺動可能に支持されている。
【００３１】
上記シャッタ部材１１７は、上記カートリッジ１０５の一側縁部に沿って後方にスライドされることにより上記光学ピックアップ用開口部１２２を開蓋し、後方側より前方にスライドされて初期位置に復帰されると上記下側蓋板部により該光学ピックアップ用開口部１２２を閉蓋する。なお、上記カートリッジ１１６の下側主面部において、上記下側蓋板部が移動する領域には、該下側蓋板部の厚さに対応した深さの凹部が形成されている。したがって、上記下側蓋板部は、上記凹部内に位置することによって、上記カートリッジ１１６の下側の主面部に対して面一な状態となされている。また、上記カートリッジ１１６の上側の主面部には、略々全面に亘って、ラベル貼付領域１１９が形成されている。このラベル貼付領域１１９は、貼付されるラベルの厚さに対応した深さを有し該ラベルの形状に対応した形状の凹部として形成されている。
【００３２】
上記各シャッタ部材１０６，１１７には、上記被支持板部の略々中央位置に、側方側に向けて、閉蓋操作孔１０８が開設されている。この閉蓋操作孔１０８は、上記記録再生装置において上記各シャッタ部材１０６，１１７を閉蓋操作するためのシャッタ閉蓋爪が嵌入係合するための透孔である。
【００３３】
なお、上記ガイド溝部１０７は、上記カートリッジ１０５，１１７の前端面部にまで亘って形成され、この前端面部対し開放されている。
【００３４】
上記カートリッジ１０５，１１６内には、前方側の一側側部分に位置して、図３及び図４に示すように、ロック部材１２５が配設されている。このロック部材１２５は、支軸部と、この支軸部より突出形成された支持腕部及びロック腕部とを有して、合成樹脂材料により、一体的に形成されている。このロック部材１２５は、上記支軸部を、上記カートリッジ１０５，１１６内の嵌合凹部に嵌合させて配設されている。そして、このロック部材１２５は、上記支持腕部を上記カートリッジ１０５，１１６内に突設された壁部に当接させて上記支軸部回りの回動を阻止された状態で、上記ロック腕部を上記ガイド溝部１０７内に内側側より臨ませている。このロック腕部は、上記ロック部材１２５の弾性力により、外方側に弾性付勢されている。
【００３５】
上記ロック腕部は、上記シャッタ部材１０６，１１７が上記各開口部１２３，１２２を閉蓋する位置である閉蓋位置にあるときに、このシャッタ部材１０６，１１７に係合し、このシャッタ部材１０６，１１７が後方側、すなわち、上記各開口部１２３，１２２を開蓋させる方向へ移動することを阻止する。
【００３６】
そして、このロック腕部は、上記ロック部材１２５の弾性力に抗して内方側に変位されると、上記シャッタ部材１０６，１１７の第１のガイド爪への係合を解除し、このシャッタ部材１０６，１１７が後方側へ移動することを可能となす。また、このロック腕部は、上記シャッタ部材１０６，１１７が後方の開蓋位置より前方側に移動されて上記閉蓋位置に至ると、上記ロック部材１２５の弾性力により、該シャッタ部材１０６，１１７に係合する。
【００３７】
そして、上記各カートリッジ１０５，１１６の下側主面部には、対をなす前方側及び後方側位置決め穴１０９，１１０が形成されている。上記前方側位置決め穴１０９は、上記光学ピックアップ用開口部１２２の前方側の主面部の縁部近傍に位置しており、長径方向が前後方向となされた長円形に形成されている。また、上記後方側位置決め穴１１０は、上記光学ピックアップ用開口部１２２の後方側の主面部の縁部近傍に位置しており、円形に形成されている。
【００３８】
また、上記各カートリッジ１０５，１１６の下側主面部後方側の他側側の縁部近傍には、複数の識別用穴１２４が形成されている。これら識別用穴１２４は、これらカートリッジ１０５，１１６が収納している記録ディスクの種別や状態、例えば情報信号の記録が可能か否かを識別するためのものである。
【００３９】
上記記録再生兼用のディスクカートリッジ１２０のカートリッジ１０５内には、上記識別用穴１２４に対応して、セーブノッチが配設されている。このセーブノッチは、上記カートリッジ１０５の後面部に開設された操作孔１１４を介して、後方側の外方に臨んでいる。このセーブノッチは、上記操作孔１１４を介して移動操作されることにより、上記識別用穴１２４のうちの一の内方位置に対して進退し、この識別用穴１２４の深さを変えて、情報信号の記録可否の識別状態を切り換える。さらに、これら各カートリッジ１０５，１１６の下側主面部前方側の両側側の縁部には、一対の係合凹部１１２，１１２が形成されている。
【００４０】
上記記録再生兼用のディスクカートリッジ１２０のカートリッジ１０５においては、下側主面部の前方側縁部に、光磁気ディスク識別凹部１１１が形成されている。また、上記再生専用のディスクカートリッジ１２１のカートリッジ１１６においては、下側主面部の前方側縁部に、光ディスク識別凹部１１８が形成されている。これら光磁気ディスク識別凹部１１１と光ディスク識別凹部１１８とは、互いに下側主面部よりの深さが異なっており、この深さの違いにより、収納されている記録ディスクが上記光磁気ディスクか上記光ディスクかを識別できるようになされている。
【００４１】
そして、本発明に係るシャッタ開閉機構は、図１及び図２に示すように、上記ディスクカートリッジ１２０，１２１が前方側より挿入操作されるカートリッジホルダ１を有している。このカートリッジホルダ１は、上記カートリッジ１０５，１１６に対応した大きさの略々平板状の主板部と、この主板部の両側側より垂下された左右一対の側板部５，６とを有し、下方側が開放された薄い筐体状に形成されている。このカートリッジホルダ１は、金属板材料等により、一体的に屈曲形成されている。上記各側板部５，６の下縁部分は、互いに対向する内方側に屈曲されている。上記各側板部５，６の間の部分は、カートリッジ挿入部４となされている。
【００４２】
また、上記カートリッジホルダ１内には、上記カートリッジ１０５，１１６の前端側部分を保持するホールド板７が配設されている。このホールド板７は、上端側に突設された支持ピン８，９，９を上記カートリッジホルダ１の主板部に形成された一対の支持スリット１２，１３に挿通係合させることによって、前後方向に移動可能となされている。また、このホールド板７は、捻りコイルバネ１１により、上記カートリッジホルダ１の中央部より離間する方向、すなわち、前方側、または、後方側のいずれかに付勢される。上記捻りコイルバネ１１は、一方のアーム部を上記カートリッジホルダ１の主板部の掛止爪１４により掛止され、他方のアーム部を上記ホールド板７に設けられた係合部１５に係合させている。上記ホールド板７は、上記カートリッジホルダ１の前方側に位置するときに、このカートリッジホルダ１の前方側よりこのカートリッジホルダ１に挿入操作されるディスクカートリッジ１２０，１２１の前端側部分を保持し、このディスクカートリッジ１２０，１２１に追従して、後方側に移動操作される。このホールド板７は、上記カートリッジホルダ１の中央部よりも前方側に位置しているときには、上記捻りコイルバネ１１により、前方方向に弾性付勢されている。そして、このホールド板７は、上記カートリッジホルダ１の中央部よりも後方側に移動されたときには、上記捻りコイルバネ１１により、後方方向に弾性付勢され、上記ディスクカートリッジ１２０，１２１を後方側に引き込む。
【００４３】
このカートリッジホルダ１の上記各側板部５，６には、左右一対の支持ピン３，２が外方側に向けて突設されている。これら支持ピン３，２は、上記記録再生装置内において、上記カートリッジホルダ１が移動操作可能に支持されるためのものである。すなわち、上記記録再生装置内において、上記カートリッジホルダ１は、上記ディスクカートリッジ１２０，１２１を収納して保持した状態で、上記各支持ピン３，２を介して、該ディスクカートリッジ１２０，１２１の記録ディスクに対して情報信号の書き込み及び読み出しを行う記録再生部に対して接離する方向の移動操作をなされる。
【００４４】
そして、上記カートリッジホルダ１の一方の側板部６の外側面部には、弾性部材となる板バネ部１６の後端側が取り付けられている。この板バネ部１６は、後端側部分を上記カートリッジホルダ１に支持され、前端側を遊端となして、該カートリッジホルダ１の前方側に延在させている。この板バネ部１６は、図５に示すように、後端側部分と略々中央部とに前後一対の支持孔２１，２２を有し、これら支持孔２１，２２に上記一方の側板部６に突設された支持ピン１９，２０を挿通係合させて、該側板部６に取り付けられている。
【００４５】
上記板バネ部１６の中途部には、シャッタ開放爪１７が突設されている。このシャッタ開放爪１７は、上記板バネ部１６に一体的に屈曲形成により突設されている。このシャッタ開放爪１７は、図６に示すように、上記カートリッジホルダ１の一方の側板部６に設けられた透孔２４を介して、このカートリッジホルダ１の内方側に進入されている。
【００４６】
また、上記板バネ部１６の前端側には、シャッタ閉蓋爪１８が突設されている。このシャッタ閉蓋爪１８は、上記板バネ部１６に一体的に屈曲形成により突設されている。このシャッタ閉蓋爪１８は、上記カートリッジホルダ１の一方の側板部６に設けられた図示しない透孔を介して、このカートリッジホルダ１の内方側に進入されている。
【００４７】
すなわち、上記板バネ部１６、上記シャッタ開放爪１７及び上記シャッタ閉蓋爪１８は、平板材料より、いわゆる打ち抜き加工により連続された展開形状に形成され、次いで、該シャッタ開放爪１７及び該シャッタ閉蓋爪１８の部分を屈曲されて形成される。
【００４８】
なお、上記シャッタ開放爪１７及び上記シャッタ閉蓋爪１８は、図６に示すように、外周縁部分が、いわゆる絞り加工によって、屈曲部２３となされている。したがって、上記シャッタ開放爪１７及び上記シャッタ閉蓋爪１８の外周縁部は、打ち抜き加工時に発生するバリのない状態に形成されている。
【００４９】
上述のように構成されたシャッタ開閉機構においては、ディスクカートリッジ１２０，１２１が上記記録再生装置に装着されるために、図３中に矢印Ｂで示すように、この記録再生装置内に配設された上記カートリッジホルダ１に挿入操作されるとき、上記シャッタ部材１０６，１１７の被支持板部の前端部に、上記シャッタ閉蓋爪１８が当接される。このシャッタ閉蓋爪１８は、上記シャッタ部材１０６，１１７に当接されて、図３中矢印Ａで示すように、上記板バネ部１６を上記ディスクカートリッジ１２０，１２１より離間する側に弾性変位させ、該シャッタ部材１０６，１１７の被支持板部に弾性的に押接しつつ、該ディスクカートリッジ１２０，１２１の移動に伴って該被支持板部に摺接する。
【００５０】
そして、上記シャッタ閉蓋爪１８は、上記ディスクカートリッジ１２０，１２１が所定位置に至ると、図４に示すように、上記板バネ部１６の復元力によって、上記閉蓋操作孔１０８に嵌入係合する。
【００５１】
また、上記シャッタ開放爪１７は、上記ディスクカートリッジ１２０，１２１が上記カートリッジホルダ１に挿入操作されるとき、このディスクカートリッジ１２０，１２１の移動に伴って、上記ガイド溝部１０７内に進入することとなり、上記ロック部材１２５のロック腕部をカートリッジ１０５，１１６の内方側に弾性変位させる。そして、このシャッタ開蓋爪１７は、上記シャッタ閉蓋爪１８が上記閉蓋操作孔１０８に嵌入係合したときに、図４に示すように、上記ロック腕部を弾性変位させたまま、上記被支持板部の前端部に当接される。この状態において、図４中矢印Ｂで示すように、さらに、上記ディスクカートリッジ１２０，１２１が上記カートリッジホルダ１の内方側に移動されると、上記シャッタ部材１０６，１１７は、上記被支持板部の前端部を上記シャッタ開蓋爪１７により当接されていて移動できないため、上記カートリッジ１０５，１１６に対しては後方側に移動されることとなり、上記各開口部１２３，１２２を開放する。
【００５２】
上記シャッタ開放爪１７及び上記シャッタ閉蓋爪１８は、外周縁部分が、上記絞り加工により上記屈曲部２３となされていることにより、上記ロック部材１２５及び上記シャッタ部材１０６，１１７に傷損や過度の摩耗を生じさせることがない。また、上記シャッタ開放爪１７及び上記シャッタ閉蓋爪１８は、外周縁部分が、上記屈曲部２３となされていることにより、板厚を薄くしても、充分な強度を維持することができる。
【００５３】
そして、上記屈曲部２３における上記シャッタ開放爪１７及び上記シャッタ閉蓋爪１８の厚さは、板厚を変更することなく、絞り量（屈曲代）を調整することにより容易に変更することができ、上記ガイド溝部１０７に対応した厚みとすることができる。
【００５４】
そして、上記ディスクカートリッジ１２０，１２１が、上記カートリッジホルダ１より抜き取られるときには、上記シャッタ部材１０６，１１７は、上記シャッタ閉蓋爪１８によって、上記カートリッジ１０５，１１６の移動によって上記各開口部１２３，１２２を閉蓋することとなるまで、このカートリッジホルダ１に対する停止状態に保持される。
【００５５】
そして、上記シャッタ部材１０６，１１７が上記各開口部１２３，１２２を閉蓋した後、上記ディスクカートリッジ１２０，１２１がさらに抜き取り方向に移動されると、上記シャッタ閉蓋爪１８は、上記板バネ部１６を該ディスクカートリッジ１２０，１２１より離間させる方向に弾性変位させて、上記閉蓋操作孔１０８より抜け出る。上記ディスクカートリッジ１２０，１２１は、このように、上記シャッタ部材１０６，１１７の閉蓋操作をなされた後、上記カートリッジホルダ１より抜き取られる。
【００５６】
【発明の効果】
上述のように、本発明に係るシャッタ開閉機構においては、シャッタ閉蓋爪及びシャッタ開放爪は、弾性部材より突設され、カートリッジホルダとは独立した部材により形成されているので、該カートリッジホルダを形成する板材料の板厚とは無関係に、板厚を設定することができ、また、その外縁部に屈曲部が形成されているので、周縁部の形状を容易に滑らかなものとすることができる。また、外周縁部が屈曲部となされていることにより、板厚を薄くしても、充分な強度を維持することができる。
【００５７】
すなわち、本発明は、カートリッジホルダを形成する板材料の板厚に無関係にシャッタ開放爪の板厚を設定することができ、また、該シャッタ開放爪がシャッタ部材に傷損や過大な摩耗を生じさせることが防止されたそして、板厚の強度を維持したシャッタ開閉機構及び、そのシャッタ開閉機構を備えた記録及び／又は再生装置を提供することができるものである。
【図面の簡単な説明】
【図１】本発明に係るシャッタ開閉機構の構成を示す平面図である。
【図２】上記シャッタ開閉機構の構成を示す正面図である。
【図３】上記シャッタ開閉機構にディスクカートリッジが挿入操作される状態を示す分解平面図である。
【図４】上記シャッタ開閉機構にディスクカートリッジが挿入操作された状態を示す平面図である。
【図５】上記シャッタ開閉機構を構成する板バネ部の形状を示す斜視図である。
【図６】上記シャッタ開閉機構を構成する板バネ部の形状を示す縦断面図である。
【図７】記録再生兼用のディスクカートリッジの構成を示す上面側より臨んだ斜視図である。
【図８】上記記録再生兼用のディスクカートリッジの構成を示す下面側より臨んだ斜視図である。
【図９】再生専用のディスクカートリッジの構成を示す上面側より臨んだ斜視図である。
【図１０】上記再生専用のディスクカートリッジの構成を示す下面側より臨んだ斜視図である。
【符号の説明】
１ カートリッジホルダ
１６ 板バネ部
１７，５９ シャッタ開放爪
１８，６０ シャッタ閉蓋爪
１０６，１１７ シャッタ部材
１０８ 閉蓋操作孔
１２０，１２１ ディスクカートリッジ
【図１】
0003590997.tif 000002
【図２】
0003590997.tif 000003
【図３】
0003590997.tif 000004
【図４】
0003590997.tif 000005
【図５】
0003590997.tif 000006
【図６】
0003590997.tif 000007
【図７】
0003590997.tif 000008
【図８】
0003590997.tif 000009
【図９】
0003590997.tif 000010
【図１０】
0003590997.tif 000011